【手続補正書】
【提出日】平成15年11月28日(2003.11.28)
【手続補正１】
【補正対象書類名】明細書
【補正対象項目名】発明の名称
【補正方法】変更
【補正の内容】
【発明の名称】データ処理装置、情報処理装置、データ処理方法、及び情報処理方法
【手続補正２】
【補正対象書類名】明細書
【補正対象項目名】特許請求の範囲
【補正方法】変更
【補正の内容】
【特許請求の範囲】
【請求項１】
ネットワークに接続されたデータ処理装置であって、
ネットワークに接続され、ネットワーク上の装置の位置情報を管理する管理サーバから、前記データ処理装置の設置位置を示す配置図を取得する取得手段と、
前記取得手段で取得された配置図を表示する表示手段と、
前記表示手段によって表示された配置図に基づいて、前記データ処理装置の物理的な設置位置を表す物理的位置情報を指定する指定手段と、
前記指定手段により指定された物理的位置情報を前記管理サーバに送信する送信手段と、
を有することを特徴とするデータ処理装置。
【請求項２】
前記指示手段は、前記表示手段によって表示された配置図上で前記物理的位置情報を指定することを特徴とする請求項１記載のデータ処理装置。
【請求項３】
前記指示手段は、前記配置図に配置されているデータ処理装置からの指示を実行することを特徴とする請求項１又は２記載のデータ処理装置。
【請求項４】
前記物理的な設置位置の変化を検知する検知手段と、
前記検知手段によって、物理的な設置位置の変化が検知された場合に、その内容を記憶する記憶手段と、
をさらに有することを特徴とする請求項１乃至３記載のデータ処理装置。
【請求項５】
前記データ処理装置の選択要求を識別する識別手段と、
前記識別手段によって識別された選択要求に従って、前記データ処理装置の物理的な設置位置を表す配置図を表示する前記表示手段を制御する制御手段と、
をさらに有することを特徴とする請求項１乃至４記載のデータ処理装置。
【請求項６】
データ処理装置であって、
ネットワークに接続された装置の物理的な設置位置を表す物理的位置情報を記憶する記憶手段と、
前記データ処理装置の移動に基づいて、前記記憶手段に記憶される設置位置情報に対応する前記装置の物理的な設置位置の変化を検知する検知手段と、
前記検知手段が前記装置の物理的な設置位置の変化を検知した場合、前記記憶手段に記憶される物理的位置情報を書き換えるか否かをユーザに問い合わせる問い合わせ手段と、
前記問い合わせ手段による問い合わせの結果、ユーザにより、物理的位置情報の書き換えが指示された場合、前記物理的位置情報を書き換える制御手段と、
を有することを特徴とするデータ処理装置。
【請求項７】
前記検知手段は、前記装置が所定の距離以上移動した場合に、前記装置の物理的な設置位置が変化したと決定することを特徴とする請求項６記載のデータ処理装置。
【請求項８】
前記装置の物理的な設置位置を表す位置情報を表示する表示手段をさらに有し、
前記制御手段は、前記表示手段によって表示された位置情報に基づいて前記物理的位置情報を書き換えることを特徴とする請求項６又は７記載のデータ処理装置。
【請求項９】
情報処理装置であって、
ネットワークを介して複数の装置と通信する通信手段と、
前記複数の装置それぞれのネットワーク上の設置位置を表す配置図を表示する表示手段、
装置の所望の機能を入力する入力手段と、
を有し、前記表示手段は、前記入力手段によって入力された機能を有する装置を前記配置図上に識別可能に表示することを特徴とする情報処理装置。
【請求項１０】
前記表示手段は、前記情報処理装置の位置と他の装置の位置との関係を識別可能に表示することを特徴とする請求項９記載の情報処理装置。
【請求項１１】
前記入力手段は、所望の機能として装置の種類を入力することを特徴とする請求項９又は１０記載の情報処理装置。
【請求項１２】
ネットワークに接続されたデータ処理装置におけるデータ処理方法であって、
ネットワークに接続され、ネットワーク上の装置の位置情報を管理する管理サーバから、前記データ処理装置の設置位置を示す配置図を取得する取得ステップと、
前記取得ステップで取得された配置図を表示する表示ステップと、
前記表示ステップにおいて表示された配置図に基づいて、前記データ処理装置の物理的な設置位置を表す物理的位置情報を指定する指定ステップと、
前記指定ステップにより指定された物理的位置情報を前記管理サーバに送信する送信ステップと、
を有することを特徴とするデータ処理方法。
【請求項１３】
データ処理方法であって、
ネットワークに接続された装置の物理的な設置位置を表す物理的位置情報を記憶する記憶ステップと、
前記データ処理装置の移動に基づいて、前記記憶ステップで記憶された設置位置情報に対応する前記装置の物理的な設置位置の変化を検知する検知ステップと、
前記検知ステップにおいて前記装置の物理的な設置位置の変化を検知した場合、前記記憶ステップで記憶された物理的位置情報を書き換えるか否かをユーザに問い合わせる問い合わせステップと、
前記問い合わせステップにおける問い合わせの結果、ユーザにより、物理的位置情報の書き換えが指示された場合、前記物理的位置情報を書き換える制御ステップと、
を有することを特徴とするデータ処理方法。
【請求項１４】
情報処理方法であって、
ネットワークを介して複数の装置と通信する通信ステップと、
前記複数の装置それぞれのネットワーク上の設置位置を表す配置図を表示する表示ステップと、
装置の所望の機能を入力する入力ステップと、
を有し、前記表示ステップは、前記入力ステップにおいて入力された機能を有する装置を前記配置図上に識別可能に表示することを特徴とする情報処理方法。
【手続補正３】
【補正対象書類名】明細書
【補正対象項目名】０００１
【補正方法】変更
【補正の内容】
【０００１】
【発明の属する技術分野】
本発明は、ネットワークに接続されたデータ処理装置及び情報処理装置と、これら装置のデータ処理方法及び情報処理方法に関する。


【手続補正４】
【補正対象書類名】明細書
【補正対象項目名】０００７
【補正方法】変更
【補正の内容】
【０００７】
本発明は上記従来の問題点に鑑み、ネットワーク上の装置を選択する際に、ユーザから遠く離れた装置を不用意に選択するのを防ぐことができ、また装置の移動の際に、使用している装置の物理的位置情報の更新を確実に行うことができるデータ処理装置、情報処理装置、データ処理方法、及び情報処理方法を提供することを目的とする。


【手続補正５】
【補正対象書類名】明細書
【補正対象項目名】０００８
【補正方法】変更
【補正の内容】
【０００８】
【課題を解決するための手段】
上記目的を達成するために、本発明のデータ処理装置は、ネットワークに接続されたデータ処理装置であって、ネットワークに接続され、ネットワーク上の装置の位置情報を管理する管理サーバから、前記データ処理装置の設置位置を示す配置図を取得する取得手段と、前記取得手段で取得された配置図を表示する表示手段と、前記表示手段によって表示された配置図に基づいて、前記データ処理装置の物理的な設置位置を表す物理的位置情報を指定する指定手段と、前記指定手段により指定された物理的位置情報を前記管理サーバに送信する送信手段と、を有することを特徴とする。
前記指示手段は、前記表示手段によって表示された配置図上で前記物理的位置情報を指定することを特徴とする。
また、前記指示手段は、前記配置図に配置されているデータ処理装置からの指示を実行することを特徴とする。
さらに、前記物理的な設置位置の変化を検知する検知手段と、前記検知手段によって、物理的な設置位置の変化が検知された場合に、その内容を記憶する記憶手段とを有することを特徴とする。
さらに、前記データ処理装置の選択要求を識別する識別手段と、前記識別手段によって識別された選択要求に従って、前記データ処理装置の物理的な設置位置を表す配置図を表示する前記表示手段を制御する制御手段とを有することを特徴とする。
【手続補正６】
【補正対象書類名】明細書
【補正対象項目名】０００９
【補正方法】変更
【補正の内容】
【０００９】
上記目的を達成するために、本発明のデータ処理装置は、ネットワークに接続された装置の物理的な設置位置を表す物理的位置情報を記憶する記憶手段と、前記データ処理装置の移動に基づいて、前記記憶手段に記憶される設置位置情報に対応する前記装置の物理的な設置位置の変化を検知する検知手段と、前記検知手段が前記装置の物理的な設置位置の変化を検知した場合、前記記憶手段に記憶される物理的位置情報を書き換えるか否かをユーザに問い合わせる問い合わせ手段と、前記問い合わせ手段による問い合わせの結果、ユーザにより、物理的位置情報の書き換えが指示された場合、前記物理的位置情報を書き換える制御手段とを有することを特徴とする。
前記検知手段は、前記装置が所定の距離以上移動した場合に、前記装置の物理的な設置位置が変化したと決定することを特徴とする。
さらに、前記装置の物理的な設置位置を表す位置情報を表示する表示手段を有し、前記制御手段は、前記表示手段によって表示された位置情報に基づいて前記物理的位置情報を書き換えることを特徴とする。
【手続補正７】
【補正対象書類名】明細書
【補正対象項目名】００１０
【補正方法】変更
【補正の内容】
【００１０】
上記目的を達成するために、本発明の情報処理装置は、ネットワークを介して複数の装置と通信する通信手段と、前記複数の装置それぞれのネットワーク上の設置位置を表す配置図を表示する表示手段、装置の所望の機能を入力する入力手段と、を有し、前記表示手段は、前記入力手段によって入力された機能を有する装置を前記配置図上に識別可能に表示することを特徴とする。
前記表示手段は、前記情報処理装置の位置と他の装置の位置との関係を識別可能に表示することを特徴とする。
前記入力手段は、所望の機能として装置の種類を入力することを特徴とする。
【手続補正８】
【補正対象書類名】明細書
【補正対象項目名】００１１
【補正方法】変更
【補正の内容】
【００１１】
上記目的を達成するために、本発明のデータ処理方法は、ネットワークに接続されたデータ処理装置におけるデータ処理方法であって、ネットワークに接続され、ネットワーク上の装置の位置情報を管理する管理サーバから、前記データ処理装置の設置位置を示す配置図を取得する取得ステップと、前記取得ステップで取得された配置図を表示する表示ステップと、前記表示ステップにおいて表示された配置図に基づいて、前記データ処理装置の物理的な設置位置を表す物理的位置情報を指定する指定ステップと、前記指定ステップにより指定された物理的位置情報を前記管理サーバに送信する送信ステップと、を有することを特徴とする。


【手続補正９】
【補正対象書類名】明細書
【補正対象項目名】００１２
【補正方法】変更
【補正の内容】
【００１２】
上記目的を達成するために、本発明のデータ処理方法は、ネットワークに接続された装置の物理的な設置位置を表す物理的位置情報を記憶する記憶ステップと、前記データ処理装置の移動に基づいて、前記記憶ステップで記憶された設置位置情報に対応する前記装置の物理的な設置位置の変化を検知する検知ステップと、前記検知ステップにおいて前記装置の物理的な設置位置の変化を検知した場合、前記記憶ステップで記憶された物理的位置情報を書き換えるか否かをユーザに問い合わせる問い合わせステップと、前記問い合わせステップにおける問い合わせの結果、ユーザにより、物理的位置情報の書き換えが指示された場合、前記物理的位置情報を書き換える制御ステップと、を有することを特徴とする。


【手続補正１０】
【補正対象書類名】明細書
【補正対象項目名】００１３
【補正方法】変更
【補正の内容】
【００１３】
上記目的を達成するために、本発明の情報処理方法は、ネットワークを介して複数の装置と通信する通信ステップと、前記複数の装置それぞれのネットワーク上の設置位置を表す配置図を表示する表示ステップと、装置の所望の機能を入力する入力ステップと、を有し、前記表示ステップは、前記入力ステップにおいて入力された機能を有する装置を前記配置図上に識別可能に表示することを特徴とする。


【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００７５
【補正方法】変更
【補正の内容】
【００７５】
【発明の効果】
以上詳述したように、本発明によれば、ネットワーク上の装置を選択する際に、ユーザから遠く離れた装置を不用意に選択するのを防ぐことができ、また、装置の移動の際に、使用している装置の物理的位置情報の更新を確実に行うことが可能になる。
【手続補正２０】
【補正対象書類名】明細書
【補正対象項目名】００７６
【補正方法】削除
【補正の内容】
【手続補正２１】
【補正対象書類名】明細書
【補正対象項目名】００７７
【補正方法】削除
【補正の内容】
【手続補正２２】
【補正対象書類名】明細書
【補正対象項目名】００７８
【補正方法】削除
【補正の内容】
【手続補正２３】
【補正対象書類名】明細書
【補正対象項目名】００７９
【補正方法】削除
【補正の内容】
【手続補正２４】
【補正対象書類名】明細書
【補正対象項目名】００８０
【補正方法】削除
【補正の内容】
【手続補正２５】
【補正対象書類名】明細書
【補正対象項目名】００８１
【補正方法】削除
【補正の内容】
【手続補正２６】
【補正対象書類名】明細書
【補正対象項目名】００８２
【補正方法】削除
【補正の内容】
【手続補正２７】
【補正対象書類名】明細書
【補正対象項目名】００８３
【補正方法】削除
【補正の内容】
【手続補正２８】
【補正対象書類名】明細書
【補正対象項目名】００８４
【補正方法】削除
【補正の内容】
【手続補正２９】
【補正対象書類名】明細書
【補正対象項目名】００８５
【補正方法】削除
【補正の内容】
【手続補正３０】
【補正対象書類名】明細書
【補正対象項目名】００８６
【補正方法】削除
【補正の内容】
【手続補正３１】
【補正対象書類名】明細書
【補正対象項目名】００８７
【補正方法】削除
【補正の内容】
【手続補正３２】
【補正対象書類名】明細書
【補正対象項目名】００８８
【補正方法】削除
【補正の内容】
【手続補正３３】
【補正対象書類名】明細書
【補正対象項目名】００８９
【補正方法】削除
【補正の内容】